(57)【要約】 【課題】  他の通信装置などから取得した電話帳データなどの個人情報の漏洩を防止することができる通信システムを提供する。【解決手段】  固定電話制御部１８は、ステップＳ１で固定電話機１０が電話回線に接続され、ステップＳ２で携帯電話機２０が接続されたことを検知し、さらにステップＳ３で、携帯電話機２０の電話帳データを利用して発信することが指示されたとき、ステップＳ４で、携帯電話機２０から電話帳データを受信し、受信した電話帳データを固定電話データ記憶部１９１に記憶する。ステップＳ５で、使用者が発信先名および発信先種別を選択して確定すると、固定電話制御部１８は、ステップＳ６で、確定された発信先名の発信先種別に発信する。ステップＳ７で、使用者が通話を終了し、電話回線が切断されると、ステップＳ８では、固定電話制御部１８は、固定電話データ記憶部１９１に記憶した電話帳データを消去する。【選択図】      図４
2006067192.tif 000002
【特許請求の範囲】
【請求項１】
電話番号および電子メールアドレスの少なくとも一方を含む発信先情報が読み出し可能に記憶される外部装置と、
前記外部装置から転送された前記発信先情報を記憶し、前記転送されて記憶した発信先情報に含まれる電話番号または電子メールアドレスに発信した後、前記転送されて記憶した発信先情報を消去する通信装置とを含むことを特徴とする通信システム。
【請求項２】
前記通信装置は、
前記外部装置に記憶された前記発信先情報を読み出して受信する受信手段と、
前記受信手段で受信された前記発信先情報を記憶する記憶手段と、
前記記憶手段に記憶された発信先情報の電話番号または電子メールアドレスに発信を行う発信手段と、
前記発信手段が前記記憶手段に記憶された発信先情報の電話番号または電子メールアドレスに発信したとき、前記記憶手段に記憶された発信先情報を消去する制御手段とを含むことを特徴とする請求項１に記載の通信システム。
【請求項３】
前記通信装置は、
前記通信装置の電話番号または電子メールアドレスを発信先に通知するか否かを選択させる通知選択情報を含む情報を表示する表示手段と、
前記通信装置の電話番号または電子メールアドレスを発信先に通知することを示す情報、および通知しないことを示す情報を含む情報を入力する入力手段とを有し、
前記制御手段は、前記発信手段が前記記憶手段に記憶された発信先情報の電話番号または電子メールアドレスに発信する際に、前記通知選択情報を前記表示手段に表示し、前記表示手段に表示された前記通知選択情報に応答して、前記入力手段によって前記通信装置の電話番号または電子メールアドレスを発信先に通知することを示す情報が入力されたとき、発信を行う際に前記通信装置の電話番号または電子メールアドレスを発信先に通知するように前記発信手段に指示することを特徴とする請求項２に記載の通信システム。
【請求項４】
前記通信装置は、前記発信手段が発信を行ったことに関する情報を発信履歴情報として記憶する発信履歴記憶手段を有し、
前記制御手段は、前記発信手段が前記記憶手段に記憶された発信先情報の電話番号または電子メールアドレスに発信した後、前記発信手段で発信された発信に対応する発信履歴情報を前記発信履歴記憶手段から消去することを特徴とする請求項２または３に記載の通信システム。
【請求項５】
前記外部装置は、さらに情報を書き込み可能に記憶し、
前記通信装置は、情報を前記外部装置に送信して書き込む送信手段を有し、
前記制御手段は、前記発信手段によって前記記憶手段に記憶された発信先情報の電話番号または電子メールアドレスに発信された発信に対応する発信履歴情報を消去する前に、前記発信手段で発信された発信に対応する発信履歴情報を、前記送信手段によって前記外部装置に送信して書き込むことを特徴とする請求項４に記載の通信システム。
【請求項６】
前記制御手段は、前記発信手段が前記記憶手段に記憶された発信先情報の電話番号または電子メールアドレスに発信した後、前記記憶手段に記憶された発信先情報を消去するか否かを選択させる消去選択情報を前記表示手段に表示し、前記表示手段に表示された前記消去選択情報に応答して、前記入力手段によって前記発信先情報を消去することを示す情報が入力されたとき、前記記憶手段に記憶された発信先情報を消去することを特徴とする請求項２〜５のいずれか１つに記載の通信システム。
【請求項７】
前記外部装置は、充電電池である電源供給手段と、
前記通信装置と接続される第１の接続手段とを有し、
前記通信装置は、前記第１の接続手段と接続される第２の接続手段と、
前記第２の接続手段を介して前記電源供給手段を充電する電圧変換手段とを有し、
前記制御手段は、前記第２の接続手段を介して前記電源供給手段の電池残量が所定の下限残量未満であることを検出したとき、前記外部装置から発信先情報を受信する前に、前記電圧変換手段に前記電源供給手段への充電を指示し、
前記第２の接続手段を介して前記電源供給手段の電池残量が所定の下限残量以上であることを検出したとき、または前記電圧変換手段に前記電源供給手段への充電を指示した後前記電源供給手段の電池残量が所定の上限残量以上になったことを検出したとき、前記外部装置から発信先情報を受信することを特徴とする請求項２〜６のいずれか１つに記載の通信システム。
【請求項８】
電話番号および電子メールアドレスの少なくとも一方を含む発信先情報が記憶された外部装置から転送される前記発信先情報を取得する取得手段と、
前記取得手段で取得された前記発信先情報を記憶する記憶手段と、
前記記憶手段に記憶された発信先情報の電話番号または電子メールアドレスに発信した後、前記記憶手段に記憶された発信先情報を消去する制御手段とを含むことを特徴とする通信装置。
【請求項９】
電話番号および電子メールアドレスの少なくとも一方を含む発信先情報が記憶された外部装置から前記発信先情報を転送する転送工程と、
前記転送工程で転送された発信先情報を通信装置の記憶部に記憶する記憶工程と、
前記記憶工程で記憶された発信先情報の電話番号または電子メールアドレスに発信する発信工程と、
前記発信工程で発信された後、前記通信装置の記憶部に記憶された発信先情報を消去する消去工程とを含むことを特徴とする制御方法。
【請求項１０】
電話番号および電子メールアドレスの少なくとも一方を含む発信先情報が記憶された外部装置から前記発信先情報を転送する転送工程と、
前記転送工程で転送された発信先情報を通信装置の記憶部に記憶する記憶工程と、
前記記憶工程で記憶された発信先情報の電話番号または電子メールアドレスに発信する発信工程と、
前記発信工程で発信された後、前記通信装置の記憶部に記憶された発信先情報を消去する消去工程とをコンピュータに実行させるためのプログラム。
【発明の詳細な説明】
【技術分野】
【０００１】
本発明は、他の通信装置などに記憶された電話番号などのデータを取得し、取得したデータに基づいて発信することができる通信システム、通信装置、制御方法およびプログラムに関する。
【背景技術】
【０００２】
個人が携帯する携帯電話機だけでなく、企業内および家庭内で用いられる電話機である固定電話機なども、発信先の名前とその名前に対応する電話番号とを含む電話帳データを電話機内に記憶して、記憶した電話帳データを用いて発信することができる機能を有しており、使用者の利便性の向上が図られている。さらに、他の電話機などの外部装置に記憶さている電話帳データを取得して発信することができる電話機も提案されている。
【０００３】
電話帳データを外部装置から取得する第１の従来技術として、固定電話機と携帯電話機にそれぞれ記憶されている電話帳データを、固定電話機と携帯電話機とのインタフェースを介して相互に転送し、転送された電話帳データを記憶して、その電話帳データに基づいて発信することができる電話帳データ転送システムがある。この電話帳データは、名前とその名前に対応する電話番号が含まれ、使用者の利便性を向上している（たとえば特許文献１参照）。
【０００４】
電話帳データを外部装置から取得する第２の従来技術として、子機が親機に装着されたとき、親機と子機とが無線回線を確立し、それぞれが記憶する電話帳データを相互に転送し、それぞれが電話帳データに含まれる更新日時データに基づいて、電話帳データを更新するコードレス電話機がある。このコードレス電話機は、子機が親機に装着されたときにそれぞれの電話帳データを更新するので、電話帳データを更新するための使用者よる煩雑な操作が不要である（たとえば特許文献２参照）。
【０００５】
電話帳データを外部装置から取得する第３の従来技術として、携帯電話内に保管されているデータをダウンロードして保存し、保存したデータを携帯電話機にアップロードすることができるようにしたデータ保存機能を備えた携帯電話用の充電器がある。この充電器は、携帯電話機の運用上必ず必要となる携帯電話機の電池の充電の際に、簡単な操作で電話帳データ等のデータのバックアップを可能とし、データの損失を防止することができるようにしたものである（たとえば特許文献３参照）。
【０００６】
【特許文献１】特開２００３−１０１６３２号公報
【特許文献２】特開２００１−２４７７３号公報
【特許文献３】特開２００２−２３７８７６号公報
【発明の開示】
【発明が解決しようとする課題】
【０００７】
しかしながら、企業内および家庭内で用いられる固定電話機は、複数の使用者によって共用されることが多い。したがって固定電話機内に記憶された電話帳データは、他の使用者も参照することができ、電話帳データに個人情報が含まれていると個人情報が漏洩してしまうという問題がある。たとえ、記憶した電話帳データを消去する操作が可能であっても、消去する操作を忘れてしまうと、個人情報が漏洩する可能性があり、消去するためには、使用者が消去のための操作を行わなければならない。
【０００８】
この個人情報には、発信先の名前とその名前に対応する電話番号などの情報の他に、発信履歴情報として記憶される発信日時、発信先名、発信先電話番号、通話時間、発信回数などの情報が含まれ、これらの情報も漏洩する可能性がある。
【０００９】
固定電話機の電話帳データを記憶する記憶容量は限られた容量であり、複数の使用者がそれぞれのデータを記憶すると記憶容量不足になるという問題がある。
【００１０】
さらに、たとえば携帯電話機が圏外であるために利用できないときに、携帯電話機から取得した電話帳データに基づいて固定電話から発信すると、もし発信者番号通知機能が働いていると、携帯電話機の番号の代わりに固定電話機の電話番号が通知され、通知された電話番号から個人情報が発信先に漏れてしまうという問題がある。
【００１１】
本発明の目的は、他の通信装置などから取得した電話帳データなどの個人情報を漏洩させることなく、取得した電話帳データに基づいて発信することができる通信システム、通信装置、制御方法およびプログラムを提供することである。
【課題を解決するための手段】
【００１２】
本発明は、電話番号および電子メールアドレスの少なくとも一方を含む発信先情報が読み出し可能に記憶される外部装置と、
前記外部装置から転送された前記発信先情報を記憶し、前記転送されて記憶した発信先情報に含まれる電話番号または電子メールアドレスに発信した後、前記転送されて記憶した発信先情報を消去する通信装置とを含むことを特徴とする通信システムである。
【００１３】
本発明に従えば、外部装置によって、電話番号および電子メールアドレスの少なくとも一方を含む発信先情報が読み出し可能に記憶され、通信装置によって、前記外部装置から転送された前記発信先情報が記憶され、前記転送されて記憶された発信先情報に含まれる電話番号または電子メールアドレスに発信された後、前記転送されて記憶された発信先情報が消去される。
【００１４】
このように、外部装置から受信して、通信装置に記憶した発信先情報である電話帳データに基づいて発信した後、通信装置に記憶した電話帳データを消去するので、外部装置である他の通信装置などから取得した電話帳データなどの個人情報を漏洩させることなく、取得した電話帳データに基づいて発信することができる。
【００１５】
また本発明は、前記通信装置は、
前記外部装置に記憶された前記発信先情報を読み出して受信する受信手段と、
前記受信手段で受信された前記発信先情報を記憶する記憶手段と、
前記記憶手段に記憶された発信先情報の電話番号または電子メールアドレスに発信を行う発信手段と、
前記発信手段が前記記憶手段に記憶された発信先情報の電話番号または電子メールアドレスに発信したとき、前記記憶手段に記憶された発信先情報を消去する制御手段とを含むことを特徴とする。
【００１６】
本発明に従えば、外部装置から受信して、通信装置の記憶手段に記憶した発信先情報である電話帳データに基づいて発信した後、通信装置の記憶手段に記憶した電話帳データを消去するので、外部装置である他の通信装置などから取得した電話帳データなどの個人情報を漏洩させることなく、取得した電話帳データに基づいて発信することができる。
【００１７】
また本発明は、前記通信装置は、
前記通信装置の電話番号または電子メールアドレスを発信先に通知するか否かを選択させる通知選択情報を含む情報を表示する表示手段と、
前記通信装置の電話番号または電子メールアドレスを発信先に通知することを示す情報、および通知しないことを示す情報を含む情報を入力する入力手段とを有し、
前記制御手段は、前記発信手段が前記記憶手段に記憶された発信先情報の電話番号または電子メールアドレスに発信する際に、前記通知選択情報を前記表示手段に表示し、前記表示手段に表示された前記通知選択情報に応答して、前記入力手段によって前記通信装置の電話番号または電子メールアドレスを発信先に通知することを示す情報が入力されたとき、発信を行う際に前記通信装置の電話番号または電子メールアドレスを発信先に通知するように前記発信手段に指示することを特徴とする。
【００１８】
本発明に従えば、外部装置から受信した電話番号または電子メールアドレスに基づいて発信する前に、通信装置の電話番号または電子メールアドレスを通知するか否かを選択することができるので、使用者が知らないうちに、通信装置の電話番号または電子メールアドレスを発信先に通知されることはなくなる。したがって、発信するために使用した通信装置の電話番号または電子メールアドレスを発信先に知らせたくないときに、通信装置に電話番号または電子メールアドレスを知らせてしまうことを防ぐことができ、返信を受領したくない相手からの返信を回避することができる。
【００１９】
また本発明は、前記通信装置は、前記発信手段が発信を行ったことに関する情報を発信履歴情報として記憶する発信履歴記憶手段を有し、
前記制御手段は、前記発信手段が前記記憶手段に記憶された発信先情報の電話番号または電子メールアドレスに発信した後、前記発信手段で発信された発信に対応する発信履歴情報を前記発信履歴記憶手段から消去することを特徴とする。
【００２０】
本発明に従えば、外部装置から受信した電話帳データに基づいて発信した後、通信装置の発信履歴記憶手段に記憶した発信履歴情報のうちで、外部装置から受信した電話帳データに基づいて発信した発信履歴情報を消去するので、外部装置の電話帳データに関連する発信履歴情報、たとえば発信日時、発信先名、発信先電話番号、通話時間、発信回数などの個人情報の漏洩を防止することができる。
【００２１】
また本発明は、前記外部装置は、さらに情報を書き込み可能に記憶し、
前記通信装置は、情報を前記外部装置に送信して書き込む送信手段を有し、
前記制御手段は、前記発信手段によって前記記憶手段に記憶された発信先情報の電話番号または電子メールアドレスに発信された発信に対応する発信履歴情報を消去する前に、前記発信手段で発信された発信に対応する発信履歴情報を、前記送信手段によって前記外部装置に送信して書き込むことを特徴とする。
【００２２】
本発明に従えば、外部装置から受信した電話番号に基づいて発信した後、通信装置の発信履歴記憶手段に記憶した発信履歴情報のうちで、外部装置から受信した電話番号に基づいて発信した発信履歴情報を、外部装置に送信し、外部装置の記憶手段に記憶するので、外部装置では、その発信履歴情報を活用することができ、さらに外部装置の記憶手段に記憶した電話帳データに基づく発信履歴情報を時系列でかつ欠落無しに管理することができる。
【００２３】
また本発明は、前記制御手段は、前記発信手段が前記記憶手段に記憶された発信先情報の電話番号または電子メールアドレスに発信した後、前記記憶手段に記憶された発信先情報を消去するか否かを選択させる消去選択情報を前記表示手段に表示し、前記表示手段に表示された前記消去選択情報に応答して、前記入力手段によって前記発信先情報を消去することを示す情報が入力されたとき、前記記憶手段に記憶された発信先情報を消去することを特徴とする。
【００２４】
本発明に従えば、外部装置から受信して、通信装置の記憶手段に記憶した電話帳データに基づいて発信した後、通信装置の記憶手段に記憶した電話帳データを消去するか否かを選択することができるので、使用者は、発信に用いた電話帳データを再利用するために残しておくか、または個人情報の漏洩を回避するために消去するかを選択でき、利用状況によって柔軟に対応でき、運用しやすい通信システムを提供することができる。
【００２５】
また本発明は、前記外部装置は、充電電池である電源供給手段と、
前記通信装置と接続される第１の接続手段とを有し、
前記通信装置は、前記第１の接続手段と接続される第２の接続手段と、
前記第２の接続手段を介して前記電源供給手段を充電する電圧変換手段とを有し、
前記制御手段は、前記第２の接続手段を介して前記電源供給手段の電池残量が所定の下限残量未満であることを検出したとき、前記外部装置から発信先情報を受信する前に、前記電圧変換手段に前記電源供給手段への充電を指示し、
前記第２の接続手段を介して前記電源供給手段の電池残量が所定の下限残量以上であることを検出したとき、または前記電圧変換手段に前記電源供給手段への充電を指示した後前記電源供給手段の電池残量が所定の上限残量以上になったことを検出したとき、前記外部装置から発信先情報を受信することを特徴とする。
【００２６】
本発明に従えば、外部装置内の充電電池の出力が下がっているために、外部装置から電話帳データを送信できない場合、あるいは電話帳データを読み出すことができない場合には、通信装置の電圧変換手段から外部装置の充電電池を充電するので、外部装置の充電電池の残量が少ない場合にも、自動的に充電が行われ電話帳データを送信することができる。
【００２７】
また本発明は、電話番号および電子メールアドレスの少なくとも一方を含む発信先情報が記憶された外部装置から転送される前記発信先情報を取得する取得手段と、
前記取得手段で取得された前記発信先情報を記憶する記憶手段と、
前記記憶手段に記憶された発信先情報の電話番号または電子メールアドレスに発信した後、前記記憶手段に記憶された発信先情報を消去する制御手段とを含むことを特徴とする通信装置である。
【００２８】
本発明に従えば、取得手段によって、電話番号および電子メールアドレスの少なくとも一方を含む発信先情報が記憶された外部装置から転送される前記発信先情報が取得され、記憶手段によって、前記取得手段で取得された前記発信先情報が記憶され、制御手段によって、前記記憶手段に記憶された発信先情報の電話番号または電子メールアドレス発信された後、前記記憶手段に記憶された発信先情報が消去される。
【００２９】
このように、外部装置から受信して、記憶手段に記憶された発信先情報である電話帳データに基づいて発信した後、記憶手段に記憶された電話帳データを消去するので、外部装置である他の通信装置などから取得した電話帳データなどの個人情報を漏洩させることなく、取得した電話帳データに基づいて発信することができる。
【００３０】
また本発明は、電話番号および電子メールアドレスの少なくとも一方を含む発信先情報が記憶された外部装置から前記発信先情報を転送する転送工程と、
前記転送工程で転送された発信先情報を通信装置の記憶部に記憶する記憶工程と、
前記記憶工程で記憶された発信先情報の電話番号または電子メールアドレスに発信する発信工程と、
前記発信工程で発信された後、前記通信装置の記憶部に記憶された発信先情報を消去する消去工程とを含むことを特徴とする制御方法である。
【００３１】
本発明に従えば、転送工程で、電話番号および電子メールアドレスの少なくとも一方を含む発信先情報が記憶された外部装置から前記発信先情報を転送し、記憶工程で、前記転送工程で転送された発信先情報を通信装置の記憶部に記憶し、発信工程で、前記記憶工程で記憶された発信先情報の電話番号または電子メールアドレスに発信し、消去工程で、前記発信工程で発信された後、前記通信装置の記憶部に記憶された発信先情報を消去する。
【００３２】
このように、外部装置から受信して、記憶部に記憶された発信先情報である電話帳データに基づいて発信した後、記憶部に記憶された電話帳データを消去するので、外部装置である他の通信装置などから取得した電話帳データなどの個人情報を漏洩させることなく、取得した電話帳データに基づいて発信することができる。
【００３３】
また本発明は、電話番号および電子メールアドレスの少なくとも一方を含む発信先情報が記憶された外部装置から前記発信先情報を転送する転送工程と、
前記転送工程で転送された発信先情報を通信装置の記憶部に記憶する記憶工程と、
前記記憶工程で記憶された発信先情報の電話番号または電子メールアドレスに発信する発信工程と、
前記発信工程で発信された後、前記通信装置の記憶部に記憶された発信先情報を消去する消去工程とをコンピュータに実行させるためのプログラムである。
【００３４】
本発明に従えば、外部装置から受信して、記憶部に記憶された発信先情報である電話帳データに基づいて発信した後、記憶部に記憶された電話帳データを消去する工程をコンピュータに実行させるためのプログラムとして提供することができるので、外部装置である他の通信装置などから取得した電話帳データなどの個人情報を漏洩させることなく、取得した電話帳データに基づいて発信することができる。
【発明の効果】
【００３５】
本発明によれば、外部装置から受信した電話番号または電子メールアドレスに基づいて発信を行った後、通信装置に記憶した電話番号または電子メールアドレスを消去するので、使用者が通信装置を操作して電話番号または電子メールアドレスを消去しなくても、外部装置から受信した電話番号または電子メールアドレスが通信装置に残らない。つまり、通信装置が消去するので、使用者による消去漏れを無くすことができ、通信装置を共有する他の使用者に個人情報が漏洩することをなくすことができる。さらに通信装置の記憶部の記憶容量を圧迫することもない。
【００３６】
また本発明によれば、外部装置から受信した電話番号または電子メールアドレスに基づいて発信する前に、通信装置の電話番号または電子メールアドレスを発信先に通知するか否かを選択することができるので、使用者が知らないうちに、通信装置の電話番号または電子メールアドレスを発信先に知らせることはなくなる。したがって、発信に使用した通信装置の電話番号または電子メールアドレスを発信先に通知したくないときに、通知されることを防ぐことができ、返信して欲しくない発信先から返信されることもなくなる。
【００３７】
また本発明によれば、外部装置から受信した電話番号または電子メールアドレスに基づいて発信を行った後、その発信に関する発信履歴情報が通信装置から消去されるので、外部装置から受信した電話番号または電子メールアドレスに基づいて発信した発信履歴情報が通信装置に残らない。したがって、通信装置を共有する他の使用者に、発信先名、発信先番号、通話時間、発信回数などの個人情報が漏洩することを防ぐことができる。
【００３８】
また本発明によれば、外部装置から受信した電話番号または電子メールアドレスに基づいて発信を行った後、その発信に関する発信履歴情報が外部装置に送信されるので、通信装置で行った発信履歴情報を外部装置で活用することができる。たとえば、通信装置側で行った直前の発信履歴情報を用いて、外部装置から再発信することができ、さらに外部装置の電話帳データに関する発信履歴情報を時系列にかつ欠落無しに管理することができる。
【００３９】
また本発明によれば、外部装置から受信した電話番号または電子メールアドレスに基づいて発信を行った後、外部装置から受信した電話番号または電子メールアドレスを消去するか否かを選択することができるので、使用者が使用状況に応じて、電話番号または電子メールアドレスを通信装置の記憶部に残しておくか、または情報が漏れないように記憶部から消去するかを選択でき、より柔軟で運用しやすい通信システムとすることができる。
【００４０】
また本発明によれば、外部装置内の駆動電源である充電電池の出力が下がっているために、外部装置から電話帳データを送信できない場合、あるいは電話帳データを読み出すことができない場合には、通信装置の電圧変換部から外部装置の充電電池を充電するので、外部装置の充電電池の残量が少ない場合にも、自動的に充電が行われ電話帳データを送信することができる。
【発明を実施するための最良の形態】
【００４１】
図１は、本発明の実施の一形態である通信システム１の概観図である。通信システム１は、通信装置である固定電話機１０と外部装置である携帯電話機２０とを含む。図１（ａ）は、固定電話機１０と携帯電話機２０とが接続されていない状態を示し、図１（ｂ）は、固定電話機１０と携帯電話機２０とが接続されている状態を示している。
【００４２】
固定電話機１０は、携帯電話機２０を載置するための置き台１１、文字、数字、記号、図形などから構成される情報を表示する液晶ディスプレイなどの固定電話表示部１３、文字、数字、あるいは記号などを入力する固定電話数字キー１４、固定電話表示部１３に表示された情報を選択する固定電話十字キー１５、選択した情報を確定するなどの機能を有する固定電話機能キー１６、およびハンドセット、つまり受話器１７を含む。置き台１１には、携帯電話機２０と電気的に接続して通信するための固定電話インタフェース部１１１がある。
【００４３】
携帯電話機２０は、固定電話インタフェース部１１１と接続して通信するための携帯電話インタフェース部２１、移動体通信網と通信するためのアンテナ２２、携帯電話機２０の使用者へ情報を表示する液晶ディスプレイなどの携帯電話表示部２３、携帯電話表示部２３を含む部位を可動可能にするヒンジ部２４、携帯電話表示部２３に表示された情報を選択、あるいは選択した情報を確定するなどの機能を有する携帯電話機能キー２５、文字、数字、あるいは記号などを入力する携帯電話数字キー２６を含む。
【００４４】
携帯電話機２０が、固定電話機１０の置き台１１に載置されると、携帯電話インタフェース部２１は、固定電話インタフェース部１１１と電気的に接続され、通信可能となる。携帯電話機２０は、個人、会社、店舗などの発信先を示す名前と、その名前に対応する電話番号または電子メールアドレスなどの情報を含む発信先情報である電話帳データを記憶する携帯電話記憶部を有している。携帯電話機２０が固定電話機１０に接続され、通信可能になると、携帯電話記憶部に記憶されている電話帳データが、固定電話機１０に送信される。
【００４５】
固定電話機１０は、電話帳データなどの情報を記憶する固定電話記憶部と、発信つまり電話を掛けるまたは電子メールを送信するなどの発信を行う固定電話制御部とを有する。固定電話機１０は、携帯電話機２０から送信された電話帳データをその固定電話記憶部に記憶し、使用者からの指示によって、記憶した電話帳データに基づいて発信する。固定電話機１０は、電話回線が切断された後、固定電話記憶部に記憶した電話帳データを消去する。電子メールを送信したときは、電子メールを送信した後、固定電話記憶部に記憶した電話帳データを消去する。
【００４６】
上述した実施の形態では、通信装置として、固定電話機１０を用いたが、コンピュータ、ファクシミリ、あるいは携帯電話機など通信機能を有する装置であれば、通信装置として用いることができる。外部装置として、携帯電話機２０を用いたが、ＩＣ（
Integrated Circuit）カードなどの記録媒体、コンピュータ、ＰＤＡ（Personal Digital Assistant）など、電話番号または電子メールアドレスを含む電話帳データなどの情報を記憶することができる装置であれば、外部装置として用いることができる。
【００４７】
上述した実施の形態では、固定電話機１０と携帯電話機２０とを電気的に接続したが、この電気的な接続は、携帯電話機用に規定されている仕様のコネクタを用いた双方向の通信回線を介して接続してもよいし、固定電話機１０および携帯電話機２０のインタフェース部をそれぞれＵＳＢ（Universal Serial Bus）規格のインタフェースとして、ＵＳＢケーブルを用いて接続してもよい。あるいは、たとえば固定電話機１０にＰＣカードスロットを設け、携帯電話機２０にＰＣカードを接続可能とし、ＰＣＭＣＩＡ（Personal
Computer Memory Card International Association）規格に準拠して接続してもよい。さらに、固定電話機１０に無線送受信部とアンテナとを備えて、無線通信によって携帯電話機２０と接続してもよい。
【００４８】
図２は、図１に示した通信システム１のシステム構成を示すブロック図である。通信システム１は、固定電話機１０と携帯電話機２０とを含んで構成され、固定電話機１０と携帯電話機２０とは、固定電話機１０の固定電話インタフェース部１１１と携帯電話機２０の携帯電話インタフェース部２１とによって接続されている。
【００４９】
固定電話機１０は、固定電話インタフェース部１１１、固定電話操作部１２、固定電話表示部１３、固定電話制御部１８、および固定電話記憶部１９を含んで構成される。固定電話操作部１２は、使用者が固定電話機１０を操作するための情報を入力するための部位であり、固定電話数字キー１４、固定電話十字キー１５、および固定電話機能キー１６を含んで構成される。
【００５０】
固定電話制御部１８は、固定電話機１０全体を制御する部位であり、使用者に表示する情報を固定電話表示部１３に表示し、使用者が固定電話操作部１２から入力した情報を受取り、受取った情報に基づいて固定電話機１０を制御する。さらに、固定電話インタフェース部１１１を介して、携帯電話機２０と情報を送受信し、記憶しておく必要がある情報を固定電話記憶部１９に記憶し、電話を掛けるあるいは電子メールを送信するなどの発信を行う。
【００５１】
固定電話記憶部１９は、固定電話データ記憶部１９１、固定電話発信履歴記憶部１９２、および固定電話電話帳データ記憶部１９３を含む。固定電話データ記憶部１９１は、携帯電話機２０から受信した電話帳データを記憶する。固定電話発信履歴記憶部１９２は、固定電話機１０から発信した発信履歴情報、たとえば発信日時、発信先名、発信先電話番号、通話時間、発信回数などの情報を記憶する。固定電話電話帳データ記憶部１９３は、携帯電話機２０から受信した電話帳データ以外の電話帳データであって固定電話機１０で用いられる電話帳データを記憶する。
【００５２】
携帯電話機２０は、携帯電話インタフェース部２１、アンテナ２２、携帯電話表示部２３、携帯電話操作部２７、携帯電話制御部２８、および携帯電話記憶部２９を含んで構成される。携帯電話操作部２７は、使用者が携帯電話機２０を操作するための情報を入力するための部位であり、携帯電話機能キー２５および携帯電話数字キー２６を含んで構成される。
【００５３】
携帯電話制御部２８は、携帯電話機２０全体を制御する部位であり、使用者に表示する情報を携帯電話表示部２３に表示し、使用者が携帯電話操作部２７から入力した情報を受取り、受取った情報に基づいて携帯電話機２０を制御する。さらに、携帯電話インタフェース部２１を介して、固定電話機１０と情報を送受信し、記憶しておく必要がある情報を携帯電話記憶部２９に記憶する。
【００５４】
携帯電話記憶部２９は、携帯電話発信履歴記憶部２９１と携帯電話電話帳データ記憶部２９２とを含む。携帯電話発信履歴記憶部２９１は、携帯電話機２０から発信した発信履歴情報、たとえば発信日時、発信先名、発信先電話番号、通話時間、発信回数などの情報を記憶する。携帯電話電話帳データ記憶部２９２は、携帯電話機２０で用いられる電話帳データを記憶する。
【００５５】
固定電話制御部１８は、オフフック状態およびオンフック状態を検出する。オフフック状態とは、固定電話機１０が電話回線に接続された状態であり、使用者が受話器１７を持ち上げることによって、オンフック状態からこの状態に移行する。オンフック状態とは、電話回線が切断された状態であり、受話器１７が置かれたときにオンフック状態になる。
【００５６】
固定電話制御部１８は、携帯電話機２０が固定電話インタフェース部１１１に接続されると、携帯電話機２０に記憶されている電話帳データを携帯電話機２０から受信し、固定電話データ記憶部１９１に記憶する。固定電話制御部１８は、使用者からの指示によって、記憶した電話帳データに基づいて発信し、電話回線が切断された後、固定電話データ記憶部１９１に記憶した電話帳データを消去する。電話回線が切断された後、固定電話データ記憶部１９１に記憶した電話帳データを消去しているが、消去する前に、消去するか否かを選択させる情報を固定電話表示部１３に表示して使用者に選択させ、消去が選択されたときに消去し、消去が選択されなかったときは、固定電話データ記憶部１９１に記憶した電話帳データを消去せずに、再利用することができるようにしてもよい。
【００５７】
固定電話制御部１８は、固定電話機１０から発信した発信履歴情報を固定電話発信履歴記憶部１９２に記憶するが、携帯電話機２０から受信した電話帳データに基づいて発信したときも、その発信に関する発信履歴情報を固定電話発信履歴記憶部１９２に記憶する。
【００５８】
固定電話制御部１８は、固定電話発信履歴記憶部１９２に記憶された発信履歴情報のうちで、携帯電話機２０から受信した電話帳データに基づいて発信した発信履歴情報を、電話回線が切断された後、消去する。携帯電話機２０から受信した電話帳データに基づいて発信した発信履歴情報について、消去する前に、消去するか否かを選択させる情報を固定電話表示部１３に表示して、消去するか否かを使用者に選択させてもよい。固定電話制御部１８は、消去が選択されたとき、携帯電話機２０から受信した電話帳データに基づいて発信した発信履歴情報を固定電話発信履歴記憶部１９２から消去する。消去が選択されなかったときは、固定電話発信履歴記憶部１９２に記憶した発信履歴情報を消去しないので、発信履歴情報を再利用することができる。あるいは、消去する前に、携帯電話機２０から受信した電話帳データに基づいて発信した発信履歴情報を、携帯電話機２０に送信して、携帯電話発信履歴記憶部２９１に記憶してもよい。
【００５９】
携帯電話機２０から受信した電話帳データに基づいて発信するとき、固定電話機１０の電話番号を発信先に通知するか否かを選択させる情報を、固定電話表示部１３に表示して使用者に選択させるようにしてもよい。固定電話制御部１８は、通知することが選択されたとき、固定電話機１０の電話番号を発信先に通知して発信し、通知しないことが選択されたとき、固定電話機１０の電話番号を発信先に通知しないで発信する。固定電話制御部１８は、使用者が固定電話機１０の電話番号を発信先に通知するか否かを選択したとき、使用者が選択した結果を、電話番号を発信先に通知するか否かを示す電話番号通知可否情報として、発信先の電話番号と対応付けて固定電話データ記憶部１９１に記憶する。
【００６０】
上述した実施の形態では、固定電話制御部１８は、電話回線に接続されているが、ＬＡＮ（Local Area Network）などを経由してインターネットなどに接続できる回線などに接続してもよい。
【００６１】
図３は、図１に示した通信システム１で用いる電話帳データのデータ構造の一例を示す図である。電話帳データは、発信先名記憶領域５１と発信先電話番号記憶領域５２とを含み、発信先名記憶領域５１には、発信先名を示す欄と発信先種別を示す欄とがあり、この例では、欄５１ａに「Ａさん」という発信先名、欄５１ｂに「家」という発信先種別が示されている。発信先種別には、「家」のほかに、「携帯電話」、「会社」、「メール」などの種別があり、１つの発信先名に対して複数の発信先種別がある。
【００６２】
発信先電話番号記載領域５２の各欄には、発信先種別と１対１に対応する発信先電話番号または電子メールアドレスなどの情報が示されている。この例では、「Ａさん」の「家」に対応して欄５２ａに電話番号「ｘｘｘｘｘｘｘｘ」、「Ａさん」の「携帯電話」に対応して電話番号「ｙｙｙｙｙｙｙｙ」、「Ａさん」の「会社」に対応して電話番号「ｚｚｚｚｚｚｚｚ」、「Ａさん」の「メール」に対応して欄５２ｂに電子メールアドレス「ａａａ＠ｂｂｂｂ」が示されている。発信先電話番号記載領域５２の欄には、たとえばホームページのアドレスなどのブックマーク情報、ＩＰ（Internet Protocol）アドレスなどの情報を含めてもよい。
【００６３】
通信システム１では、電話帳データ、発信履歴情報、および電話番号通知可否情報の３種類のデータ種別を含む。発信履歴情報は、たとえば発信日時、発信先名、発信先電話番号、通話時間、発信回数などの情報であり、電話番号通知可否情報は、電話番号を発信先に通知するか否かを示す情報である。
【００６４】
固定電話機１０は、携帯電話機２０から受信した電話帳データを固定電話データ記憶部１９１に記憶し、発信履歴情報を固定電話発信履歴記憶部１９２に記憶し、携帯電話機２０から受信した電話帳データ以外の電話帳データを固定電話電話帳データ記憶部１９３に記憶する。電話番号通知可否情報は、固定電話データ記憶部１９１に記憶され、電話帳データとともに管理される。携帯電話機２０は、発信履歴情報を携帯電話発信履歴記憶部２９１に記憶し、電話帳データを携帯電話電話帳データ記憶部２９２に記憶する。
【００６５】
携帯電話機２０から固定電話機１０に送信する電話帳データは、携帯電話機２０の電話帳データに含まれるすべてのデータを送信しなくてもよい。たとえば、優先順位を決めておいて優先順位の高いものから所定の件数の情報を送信する、携帯電話操作部２７から指示された所定の条件に合致する情報を送信する、あるいは発信先電話番号記憶領域５２の情報のみ送信するというように、適宜送信する情報の条件を選択することができるようにして送信してもよい。
【００６６】
図４は、本発明の実施の他の形態である制御方法の一例のフローチャートである。この制御方法は、図１〜図３に示した固定電話機１０および携帯電話機２０で実現され、固定電話機１０および携帯電話機２０の電源が投入され、ともに待機状態になるとこのフローチャートの処理が開始される。
【００６７】
ステップＳ１では、固定電話制御部１８は、固定電話機１０の受話器１７が持ち上げられ、固定電話機１０が電話回線に接続されたか否かを判定する。電話回線に接続されていないとき、ステップＳ１に戻り、電話回線に接続されたとき、ステップＳ２に進む。ステップＳ２では、固定電話制御部１８は、固定電話インタフェース部１１１に携帯電話機２０が接続されたことを検知したか否かを判定する。携帯電話機２０が接続されたことを検知したとき、ステップＳ３に進み、携帯電話機２０が接続されたことを検知しなかったとき、ステップＳ９に進む。
【００６８】
ステップＳ３では、固定電話制御部１８は、携帯電話機２０の電話帳データを利用して発信するか否かを確認する情報を固定電話表示部１３に表示し、使用者が固定電話操作部１２から入力した指示が携帯電話機２０の電話帳データに基づいて発信することを示す指示か否かを判定する。携帯電話機２０の電話帳データに基づいて発信するときは、ステップＳ４に進み、携帯電話機２０の電話帳データに基づいて発信しないときは、ステップＳ９に進む。
【００６９】
ステップＳ４では、固定電話制御部１８は、携帯電話機２０に記憶されている電話帳データを固定電話機１０に送信するように携帯電話機２０に要求する。携帯電話制御部２８は、携帯電話電話帳データ記憶部２９２に記憶している電話帳データを固定電話機１０に送信する。固定電話制御部１８は、携帯電話機２０から送信された電話帳データを受信し、受信した電話帳データを固定電話データ記憶部１９１に記憶する。
【００７０】
ステップＳ５では、固定電話制御部１８は、固定電話データ記憶部１９１に記憶した電話帳データを固定電話表示部１３に表示する。固定電話表示部１３には、図３に示した発信先名記憶領域５１の情報、つまり発信先名および発信先種別を示す情報の一覧を表示する。使用者は、まず、発信先名の一覧が表示されるので、固定電話十字キー１５を操作して所望の発信先名を選択して、固定電話機能キー１６で確定する。次に、選択した発信先名に対応する発信先種別が表示されるので、固定電話十字キー１５を操作して所望の発信先種別を選択して、固定電話機能キー１６で確定する。
【００７１】
ステップＳ６では、固定電話制御部１８は、確定された発信先名の発信先種別に発信する。ステップＳ７では、使用者が通話を終了し、受話器１７を置くと、電話回線が切断される。ステップＳ８では、固定電話制御部１８は、電話回線が切断されると、固定電話データ記憶部１９１に記憶した電話帳データを消去してステップＳ１に戻る。
【００７２】
ステップＳ９では、固定電話制御部１８は、使用者に電話番号の入力を要求する情報を固定電話表示部１３に表示する。使用者は、固定電話数字キー１４を用いて電話番号を入力して発信するか、固定電話十字キー１５と固定電話機能キー１６とを操作して、固定電話電話帳データ記憶部１９３に記憶されている電話帳データの中から所望の発信先名と発信先種別を選択および確定して発信する。ステップＳ１０では、使用者が通話を終了し、受話器１７を置くと、電話回線が切断され、ステップＳ１に戻る。
【００７３】
図５は、図４に示した制御方法の他の例のフローチャートである。この制御方法は、図１〜図３に示した固定電話機１０および携帯電話機２０で実現され、固定電話機１０および携帯電話機２０の電源が投入され、ともに待機状態になるとこのフローチャートの処理が開始される。
【００７４】
ステップＳ２０では、固定電話制御部１８は、固定電話機１０の受話器１７が持ち上げられ、固定電話機１０が電話回線に接続されたか否かを判定する。電話回線に接続されていないとき、ステップＳ２０に戻り、電話回線に接続されたとき、ステップＳ２１に進む。ステップＳ２１では、固定電話制御部１８は、固定電話インタフェース部１１１に携帯電話機２０が接続されたことを検知したか否かを判定する。携帯電話機２０が接続されたことを検知したとき、ステップＳ２２に進み、携帯電話機２０が接続されたことを検知しなかったとき、ステップＳ３２に進む。
【００７５】
ステップＳ２２では、固定電話制御部１８は、携帯電話機２０の電話帳データを利用して発信するか否かを確認する情報を固定電話表示部１３に表示し、使用者が固定電話操作部１２から入力した指示が携帯電話機２０の電話帳データに基づいて発信することを示す指示か否かを判定する。携帯電話機２０の電話帳データに基づいて発信するときは、ステップＳ２３に進み、携帯電話機２０の電話帳データに基づいて発信しないときは、ステップＳ３２に進む。
【００７６】
ステップＳ２３では、固定電話制御部１８は、携帯電話機２０に記憶している電話帳データを固定電話機１０に送信するように携帯電話機２０に要求する。携帯電話制御部２８は、携帯電話電話帳データ記憶部２９２に記憶している電話帳データを固定電話機１０に送信する。固定電話制御部１８は、携帯電話機２０から送信された電話帳データを受信し、受信した電話帳データを固定電話データ記憶部１９１に記憶する。
【００７７】
ステップＳ２４では、固定電話制御部１８は、固定電話データ記憶部１９１に記憶した電話帳データを固定電話表示部１３に表示する。固定電話表示部１３には、図３に示した発信先名記憶領域５１の情報、つまり発信先名および発信先種別を示す情報の一覧を表示する。使用者は、まず、発信先名の一覧が表示されるので、固定電話十字キー１５を操作して所望の発信先名を選択して、固定電話機能キー１６で確定する。次に、選択した発信先名に対応する発信先種別が表示されるので、固定電話十字キー１５を操作して所望の発信先種別を選択して、固定電話機能キー１６で確定する。
【００７８】
ステップＳ２５では、固定電話制御部１８は、確定された電話番号を固定電話表示部１３に表示するとともに、固定電話機１０の電話番号を発信先に通知するか否かを選択する情報を固定電話表示部１３に表示する。使用者が電話番号を発信先に通知することを選択したとき、ステップＳ２６に進み、使用者が電話番号を発信先に通知しないことを選択したとき、ステップＳ３１に進む。
【００７９】
ステップＳ２６では、固定電話制御部１８は、固定電話データ記憶部１９１の電話番号通知可否情報として、「発信先に電話番号を通知することを示す情報」を記憶する。固定電話制御部１８は、発信先に発信する際に、固定電話データ記憶部１９１の電話番号通知可否情報を参照する。電話番号通知可否情報には、「発信先に電話番号を通知することを示す情報」が記憶されているので、固定電話制御部１８は、発信先に電話番号を通知して発信する。
【００８０】
携帯電話機２０の電波の届かない地下室、携帯電話機２０の使用が禁止されている病院など、携帯電話機２０の使用が禁止されている場所あるいは状況においても、携帯電話機２０の電話帳データに基づいて、固定電話機１０から発信することができ、発信に使われた固定電話機１０の電話番号を発信先に通知できるので、発信先からその固定電話機１０に返信することができるようになる。
【００８１】
ステップＳ２７では、使用者が通話を終了し、受話器１７を置くと、電話回線が切断される。ステップＳ２８では、固定電話制御部１８は、電話回線が切断されると、固定電話データ記憶部１９１に記憶した電話帳データと電話番号通知可否情報とを消去する。
【００８２】
ステップＳ２９では、固定電話制御部１８は、ステップＳ２６で行った発信に関する発信履歴情報を固定電話発信履歴記憶部１９２から読み出して携帯電話機２０に送信する。携帯電話制御部２８は、固定電話機１０から受信した発信履歴情報を携帯電話発信履歴記憶部２９１に記憶する。ステップＳ３０では、固定電話制御部１８は、固定電話発信履歴記憶部１９２に記憶された発信履歴情報のうち、携帯電話機２０に送信した発信履歴情報を消去してステップＳ２０に戻る。
【００８３】
ステップＳ３１では、固定電話制御部１８は、固定電話データ記憶部１９１の電話番号通知可否情報として、「発信先に電話番号を通知しないことを示す情報」を記憶する。固定電話制御部１８は、発信先に発信する際に、固定電話データ記憶部１９１の電話番号通知可否情報を参照する。電話番号通知可否情報には、「発信先に電話番号を通知しないことを示す情報」が記憶されているので、固定電話制御部１８は、発信先に電話番号を通知しないで発信した後、ステップＳ２７に進む。
【００８４】
ステップＳ３２では、固定電話制御部１８は、使用者に電話番号の入力を要求する情報を固定電話表示部１３に表示する。使用者は、固定電話数字キー１４を用いて電話番号を入力して発信するか、固定電話十字キー１５と固定電話機能キー１６とを操作して、固定電話電話帳データ記憶部１９３に記憶されている電話帳データの中から所望の発信先名と発信先種別を選択および確定して発信する。ステップＳ３３では、使用者が通話を終了し、受話器１７を置くと、電話回線が切断され、ステップＳ２０に戻る。
【００８５】
図５に示した制御方法では、ステップＳ２８で、電話回線が切断されると固定電話データ記憶部１９１に記憶した電話帳データと電話番号通知可否情報とを消去しているが、電話回線が切断されたとき、固定電話制御部１８が電話帳データを消去するか否かを確認する情報を固定電話表示部１３に表示し、使用者が電話帳データを消去するか否かを固定電話操作部１２から選択するようにしてもよい。使用者が電話帳データを消去することを選択したときは消去し、使用者が電話帳データを消去しないことを選択したときは消去せずに、電話帳データと電話番号通知可否情報とを固定電話データ記憶部１９１に残し、再利用可能とする。他人に個人情報が漏れないように消去するか、再利用するために残すかを、使用者の利用状況によって選択可能とし、使用者の利便性を向上させることができる。
【００８６】
あるいは携帯電話機２０から取得して、固定電話データ記憶部１９１に記憶した電話帳データに基づいて発信した後にその電話帳データを消去するか否か示す消去可否情報を、予め固定電話機１０の固定電話記憶部１９に設定しておく。そして固定電話データ記憶部１９１に記憶した電話帳データに基づいて発信した後、固定電話記憶部１９に設定されている消去可否情報に基づいて、電話帳データを消去するか、あるいは消去せずに残すかを選択可能としてもよい。固定電話機１０の管理者または使用者が、予め電話帳データの管理方法を決めて運用するときに適用することができる。
【００８７】
あるいはステップＳ２８で、電話回線が切断されると固定電話データ記憶部１９１に記憶された電話帳データと電話番号通知可否情報とを消去しているが、たとえば携帯電話機２０が固定電話機１０に接続されている間は、消去しないようにしてもよい。つまり、電話回線が切断されても、固定電話データ記憶部１９１に記憶された電話帳データは消去せずに保持し、携帯電話機２０が固定電話インタフェース部１１１から切離されたことを固定電話制御部１８が検知したとき、固定電話データ記憶部１９１に記憶した電話帳データを消去してもよい。使用者が同じ携帯電話機２０の電話帳データに基づいて、複数の発信を行うとき、携帯電話機２０から固定電話機１０への電話帳データの送信が最初の１回のみでよく、繰り返して行われる送信と消去のための処理時間を節約することができる。
【００８８】
図４および図５に示した制御方法では、電話を発信する場合について実施の形態を示したが、携帯電話機２０などの外部装置から、発信先に関する情報を取得し、取得した情報に基づいて発信を行う形態であれば適用が可能である。たとえば外部装置から発信先の電子メールアドレスを取得した通信装置が、取得した電子メールアドレスを用いて電子メールを発信する形態がある。この電子メールは、インターネットを介した電子メールであってもよいし、企業が提供しているメールシステムのメールなどであってもよい。
【００８９】
たとえば通信システム１が電子メールの送受信を行うことができるＬモードに対応しているとき、外部装置から取得した電子メールアドレスを通信装置の記憶部に記憶し、記憶した電子メールアドレスを用いて電子メールを発信した後、通信装置の記憶部に記憶した電子メールアドレスを消去する。
【００９０】
具体的には、使用者が固定電話機１０の固定電話操作部１２を操作してＬモードを起動し、さらに携帯電話機２０の電話帳データを用いて発信することを入力したとき、携帯電話機２０が固定電話機インタフェース部１１１に接続されていると、固定電話制御部１８は、携帯電話機２０から送信される電子メールアドレスを含む電話帳データを受信し、固定電話データ記憶部１９１に記憶する。固定電話制御部１８は、使用者が固定電話操作部１２を操作して携帯電話機２０から送信される電話帳データの表示を指示すると、固定電話データ記憶部１９１に記憶した電話帳データを表示する。
【００９１】
使用者は、まず、発信先名の一覧が表示されるので、固定電話十字キー１５を操作して所望の発信先名を選択して、固定電話機能キー１６で確定する。次に、選択した発信先名に対応する発信先種別が表示されるので、固定電話十字キー１５を操作して電子メールアドレスを示す発信先種別「メール」を選択して、固定電話機能キー１６で確定する。たとえば、発信先名「Ａさん」の発信先種別「メール」を選択して確定すると、欄５２ｂに示される電子メールアドレス「ａａａ＠ｂｂｂｂ」が、使用者が発信する電子メールの電子メールアドレスとなる。
【００９２】
使用者が固定電話操作部１２を操作して電子メールの発信を指示すると、固定電話制御部１８は、インターネットに接続し、発信先の電子メールアドレス「ａａａ＠ｂｂｂｂ」に電子メールを発信した後、固定電話データ記憶部１９１に記憶した電話帳データを消去する。図５に示した制御方法の場合は、電子メールを発信した後、固定電話発信履歴記憶部１９２に記憶された発信情報のうち、電子メールアドレス「ａａａ＠ｂｂｂｂ」に発信した電子メールに関する発信履歴情報を、携帯電話機２０に送信するとともに、固定電話発信履歴記憶部１９２から消去する。携帯電話制御部２８は、受信した発信履歴情報を携帯電話発信履歴記憶部２９１に記憶する。
【００９３】
発信元の電子メールアドレスを通知するか否かを選択可能にすることは、電子メールを発信する際に、発信元の電子メールアドレスを通知しないで発信することができるメールシステムに適用できる。
【００９４】
上述した実施の形態では、Ｌモードが起動された後、携帯電話機２０から電話帳データを取得しているが、携帯電話機２０が接続されたこと検知したとき、携帯電話機２０から電話帳データを取得し、取得した電話帳データの中に電子メールアドレスが含まれているとき、Ｌモードを起動してインターネットに接続してもよい。
【００９５】
複数の使用者が１台のＬモード対応の固定電話機１０を共用する場合、使用者が個人的に使用する携帯電話機２０から電子メールアドレスを含む電話帳データを固定電話機１０に送信することによって、携帯電話機２０に記憶された電子メールアドレスへの電子メールを、固定電話機１０で作成して発信することができる。
【００９６】
このように、電話帳データとしては、少なくとも電話番号または電子メールアドレスが外部装置に記憶され、それらに対応する発信先名が記憶されていてもよい。通信装置は、外部装置が接続されたとき、外部装置から電話帳データを受信して記憶する記憶部を有し、記憶部に記憶された電話番号または電子メールアドレス、さらに発信先名を記憶していれば発信先名に基づいて発信した後、電話番号または電子メールアドレス、さらに発信先名を記憶していれば発信先名を含む電話帳データを記憶部から消去する。
【００９７】
上述した制御方法をコンピュータに実行させるプログラムで実現することができる。この場合、固定電話機１０と携帯電話機２０のそれぞれのコンピュータは、それぞれの制御を行う図示していないＣＰＵ（Central Processing Unit）と、ＣＰＵで処理が行われるために用いられる図示していないメモリ、たとえば、ＲＯＭ（Read Only Memory）またはＲＡＭ（Random Access Memory）とを含んで構成される。
【００９８】
固定電話機１０で実行される制御方法をコンピュータに実行させるプログラムは、固定電話機１０のメモリに格納され、携帯電話機２０で実行される制御方法をコンピュータに実行させるプログラムは、携帯電話機２０のメモリに格納される。固定電話機１０で実行される制御方法をコンピュータに実行させるプログラムは、図４あるいは図５の制御方法のなかで固定電話制御部１８が行う処理を実行し、携帯電話機２０で実行される制御方法をコンピュータに実行させるプログラムは、図４あるいは図５の制御方法のなかで携帯電話制御部２８が行う処理を実行する。
【００９９】
制御方法をコンピュータに実行させるプログラムは、コンピュータで読取り可能な記録媒体に格納されておればよく、上述した実施の形態では、記録媒体として、メモリを用いたが、外部記憶装置としてプログラム読取装置が設けられ、そこに記録媒体を挿入することによって読取り可能となるような記録媒体であってもよい。記録媒体に格納されているプログラムは、ＣＰＵがアクセスして実行可能な構成であればよい。あるいは、記録媒体に格納されているプログラムを読出し、読出したプログラムを図示されていないプログラム記録エリアにダウンロードして、プログラムを実行する構成であればよい。このダウンロード用のプログラムは、予めＲＯＭに格納しておく。
【０１００】
あるいは、固定電話機１０に固定電話機１０用のプログラムの他に、携帯電話機２０用のプログラムおよび携帯電話２０用のプログラムを携帯電話機２０にインストールするプログラムを記憶しておき、携帯電話機２０が接続されたとき、携帯電話機２０用のプログラムを携帯電話機２０にインストールしてもよい。逆に、携帯電話機２０に携帯電話機２０用のプログラムの他に、固定電話機１０用のプログラムおよび固定電話機１０用のプログラムを固定電話機１０にインストールするプログラムを記憶しておき、固定電話機１０が接続されたとき、固定電話機１０用のプログラムを固定電話機１０にインストールしてもよい。このように、両方のプログラムとインストールプログラムをどちらかの装置に記憶しておけば、固定電話機１０または携帯電話機２０のどちらかに制御方法を実現するプログラムが記憶されていなくても、接続されたときにプログラムを記憶している装置から記憶されていない装置へプログラムをインストールすることによって本発明を実現することができる。
【０１０１】
記録媒体がコンピュータと分離可能に構成される場合、記録媒体は、磁気テープ／カセットテープなどのテープ系、フレキシブルディスク／ハードディスクなどの磁気ディスクまたはＣＤ−ＲＯＭ（Compact Disk-Read Only Memory）／ＭＯ（Magneto Optical
Disk）／ＭＤ（Mini Disk）／ＤＶＤ（Digital Versatile Disk）などの光ディスクのディスク系、ＩＣ（Integrated Circuit）カード（メモリカードを含む）／光カードなどのカード系、あるいはマスクＲＯＭ／ＥＰＲＯＭ（Erasable Programmable Read Only
Memory）／フラッシュＲＯＭなどによる半導体メモリを含め、固定的にプログラムを保持する記録媒体であればよい。
【０１０２】
図６は、本発明の実施のさらに他の形態である通信システム１００のシステム構成を示すブロック図である。通信システム１００は、固定電話機１０１と携帯電話機２０１とを含んで構成され、固定電話機１０１と携帯電話機２０１とは、固定電話機１０１の固定電話インタフェース部１０２と携帯電話機２０１の携帯電話インタフェース部２０２とによって接続されている。
【０１０３】
固定電話機１０１は、固定電話インタフェース部１０２、固定電話制御部１０３、および電圧変換部１０４を含んで構成される。固定電話機１０１は、図２と同様の固定電話操作部、固定電話表示部、固定電話記憶部などを含むが図示していない。固定電話制御部１０３は、固定電話機１０１全体を制御する部位であり、固定電話インタフェース部１０２を介して、携帯電話機２０１と情報を送受信する。電圧変換部１０４は、商用電源、たとえば１００Ｖの交流電源からの電圧を任意の直流電圧に変換する電圧変換部であり、電圧変換部１０４の出力は、充電電池２０４を充電するために、固定電話インタフェース部１０２および携帯電話インタフェース部２０２を介して充電電池２０４に供給される。
【０１０４】
携帯電話機２０１は、携帯電話インタフェース部２０２、携帯電話制御部２０３、および充電電池２０４を含んで構成される。携帯電話機２０１は、図２と同様のアンテナ、携帯電話表示部、携帯電話操作部、携帯電話記憶部などを含むが図示していない。携帯電話制御部２０３は、携帯電話機２０１全体を制御する部位であり、携帯電話インタフェース部２０２を介して、固定電話機１０１と情報を送受信する。充電電池２０４は、携帯電話機２０１の各部を駆動する電源となる電池である。
【０１０５】
通信システム１００の概観は、図１に示した通信システム１の概観と同じであり、携帯電話機２０１が、固定電話機１０１の置き台に載置されると、固定電話インタフェース部１０２と携帯電話インタフェース部２０２とが接続される。固定電話制御部１０３は、固定電話インタフェース部１０２と携帯電話インタフェース部２０２を介して、充電電池２０４の残量を検出する。
【０１０６】
固定電話制御部１０３は、充電電池２０４の残量が所定の下限残量未満になったことを検出したとき、固定電話インタフェース部１０２と携帯電話インタフェース部２０２を介して、充電電池２０４の電圧を検出し、検出した充電電池２０４の電圧に変換するように電圧変換部１０４に指示する。電圧変換部１０４は、商用電源を、指示された直流電圧に変換し、固定電話インタフェース部１０２と携帯電話インタフェース部２０２を介して、充電電池２０４を充電する。固定電話制御部１０３は、充電電池２０４の残量が所定の上限残量以上になったことを検出すると、充電電池２０４への充電を止めるように、電圧変換部１０４に指示する。
【０１０７】
このように、携帯電話機２０１の充電電池２０４の残量が低下したとき、固定電話機１０１に接続したまま、固定電話機１０１から充電電池２０４を充電することができる。
【０１０８】
携帯電話機２０１と固定電話機１０１とを接続したとき、携帯電話機２０１の充電電池２０４の残量が下限残量未満、たとえば携帯電話制御部２０３などを駆動させて、携帯電話機２０１の電話帳データを固定電話機１０１に送信できない残量に低下している場合がある。この場合は、携帯電話機２０１の電話帳データを固定電話機１０１に送信する前に、電圧変換部１０４の出力を、固定電話インタフェース部１０２と携帯電話インタフェース部２０２を介して、充電電池２０４に供給して充電する。固定電話制御部１０３は、充電電池２０４の出力が、上限残量以上になったこと、たとえば携帯電話制御部２０３などを駆動するに十分な出力になったことを検出したときに、携帯電話機２０１の電話帳データを固定電話機１０１に送信するように携帯電話機２０１に指示する。
【０１０９】
すなわち、外部装置内の駆動電源である充電電池の出力が下がっているために、外部装置から電話帳データを送信できない場合、あるいは電話帳データを読み出すことができない場合でも、通信装置の電圧変換部から外部装置の充電電池を充電してから、電話帳データを送信することができる。
【図面の簡単な説明】
【０１１０】
【図１】本発明の実施の一形態である通信システム１の概観図である。
【図２】図１に示した通信システム１のシステム構成を示すブロック図である。
【図３】図１に示した通信システム１で用いる電話帳データのデータ構造の一例を示す図である。
【図４】本発明の実施の他の形態である制御方法の一例のフローチャートである。
【図５】図４に示した制御方法の他の例のフローチャートである。
【図６】本発明の実施のさらに他の形態である通信システム１００のシステム構成を示すブロック図である。
【符号の説明】
【０１１１】
１，１００  通信システム
１０，１０１  固定電話機
１１  置き台
１２  固定電話操作部
１３  固定電話表示部
１４  固定電話数字キー
１５  固定電話十字キー
１６  固定電話機能キー
１７  受話器
１８，１０３  固定電話制御部
１９  固定電話記憶部
２０，２０１  携帯電話機
２１，２０２  携帯電話インタフェース部
２２  アンテナ
２３  携帯電話表示部
２４  ヒンジ部
２５  携帯電話機能キー
２６  携帯電話数字キー
２７  携帯電話操作部
２８，２０３  携帯電話制御部
２９  携帯電話記憶部
１０４  電圧変換部
１１１，１０２  固定電話インタフェース部
１５０  商用電源
１９１  固定電話データ記憶部
１９２  固定電話発信履歴記憶部
１９３  固定電話電話帳データ記憶部
２０４  充電電池
２９１  携帯電話発信履歴記憶部
２９２  携帯電話電話帳データ記憶部
【図１】
2006067192.tif 000003
【図２】
2006067192.tif 000004
【図３】
2006067192.tif 000005
【図４】
2006067192.tif 000006
【図５】
2006067192.tif 000007
【図６】
2006067192.tif 000008